(57)【要約】【課題】ケース本体の組立時に、ケース本体に簡易に防水性を付すことができる画像処理装置を提供する。【解決手段】略箱状のケース本体２と、撮像手段を含んだ装置本体と、複数のコネクタ接続部とを有し、ケース本体２に装置本体が格納される画像処理装置１であって、ケース本体２は、撮影開口部３と、組立開口部４とを有して一体に形成され、撮影開口部３にはパネル５が、組立開口部４には蓋体７が、密封材を介してそれぞれ取付けられ、蓋体には、コネクタ接続部を配設するための複数のコネクタ配設部９、９ａ、１０が設けられており、各コネクタ配設部９、９ａ、１０には、コネクタ配設部９、９ａを封止するための封止材１１、１１ａ、およびコネクタ配設部１０を覆って封止するための着脱自在な封止キャップ１２が設けられていることを特徴とする画像処理装置。【選択図】  図１
2006197408.tif 000002
【特許請求の範囲】
【請求項１】
略箱状のケース本体と、少なくとも対象物を撮影するための撮像手段を含んだ装置本体と、装置本体に取付けられ、外部機器のコネクタと接続するための複数のコネクタ接続部とを有し、ケース本体に装置本体が格納される画像処理装置であって、
前記ケース本体は、対象物を撮影するための撮影開口部と、装置本体を格納して組立てるための組立開口部とを有して一体に形成され、
前記撮影開口部にはパネルが、前記組立開口部には蓋体が、密封材を介してそれぞれ取付けられ、
前記蓋体には、コネクタ接続部を配設するための複数のコネクタ配設部が設けられており、
各コネクタ配設部には、各コネクタ配設部を封止するための封止材、又は各コネクタ配設部を覆って封止するための着脱自在な封止キャップのいずれか一方が設けられ、
封止材が配されたコネクタ配設部と、封止キャップが配されたコネクタ配設部とが少なくとも一つづつ設けられていることを特徴とする画像処理装置。
【請求項２】
前記封止材と封止キャップとが一体に形成されてなることを特徴とする請求項１記載の画像処理装置。
【請求項３】
前記ケース本体に画像処理装置の動作状態を表示する表示部が設けられ、
前記表示部には、装置本体からの光を透過させるための表示部孔が設けられ、
前記表示部孔を塞ぐように表示部孔密封シートが設けられたことを特徴とする請求項１又は２記載の画像処理装置。
【請求項４】
前記ケース本体には、ケース本体と装置本体とをねじで固定するためのねじ孔が設けられ、
ねじ孔密封シートがねじ孔を塞ぐように設けられたことを特徴とする請求項１乃至３のいずれかに記載の画像処理装置。
【請求項５】
前記撮影開口部の周縁および組立開口部の周縁の少なくとも一方には、密封材を保持するための保持部が設けられ、
前記保持部の一部に、パネルおよび蓋体とそれぞれ係合される係合部が設けられていることを特徴とする請求項１乃至４のいずれかに記載の画像処理装置。
【請求項６】
前記パネルおよび蓋体の少なくとも一方には、密封材を保持するための保持部が設けられ、
前記保持部の一部に、撮影開口部の周縁および組立開口部の周縁とそれぞれ係合される係合部が設けられていることを特徴とする請求項１乃至４のいずれかに記載の画像処理装置。
【発明の詳細な説明】
【技術分野】
【０００１】
本発明はケース本体に防水構造を備えた画像処理装置に関するものである。
【背景技術】
【０００２】
従来、略箱状をなす画像処理装置においては、図６のようなものが知られている。すなわち、ケース本体１０１の中に装置本体が格納され、前面には撮影用の窓１０２が、後面には画像処理装置の動作状態を確認するための表示部１０３が形成されているものである。この画像処理装置のケース本体１０１は、図６の底面図に例示したように、内部部品を格納し易いように、２つの枠体１０１ａ、１０１ｂが組み合わされて形成されている。
【０００３】
また、電子機器を収容するケースに防水性を付した筐体構造としては、特許文献１のようなものが知られている。すなわち、図７に例示したように、内部に電気部品１０４が収納される筒状のケース本体１０５の両端に開口部１０６が形成され、この開口部１０６を閉塞する、開口部１０６の断面形状よりもやや大きい形状の挿嵌部を有するパッキング１０７と、このパッキング１０７を介して端板１０８が開口部１０６にねじ１０９で締め付け固定される電気部品収納ケースである。図７では、一方の開口部１０６から複数のリード線１１０が導出されており、その開口部１０６に設けられたパッキング１０７に、リード線１１０を一本づつ通すためのリード線挿通口１１１が設けられ、一方のパッキング１０７の面にあるリード線挿通口１１１の周囲には環状突部１１２が設けられ、リード線１１０とパッキング１０７との隙間をさらに防水している。
【特許文献１】特開平５−２９１７５９号公報
【発明の開示】
【発明が解決しようとする課題】
【０００４】
しかしながら、図６の画像処理装置および特許文献１のものには、次のような課題がある。すなわち、図６の従来の画像処理装置では、ケース本体は一体に形成されておらず、ケース本体に用いられる複数の部品同士の組合せによって形成されている。このため、ケース本体が水に晒された場合、ケース本体の枠体同士の間の隙間からケース内部に水が流入してしまう可能性がある。
【０００５】
また、特許文献１のものは、パッキングだけでなく、防水構造として環状突部をも設けているので、部品点数が増加するだけでなく、組立工数もかかってしまう。さらに、パッキングにはリード線を一本づつ通すためのリード線挿通口が設けられているが、リード線の本数が増えると、それだけリード線挿通口の数も増えることになり、パッキングの形成に手間がかかってしまう。
【０００６】
本発明は上記課題に鑑みてなしたもので、その目的はケース本体の組立時に、ケース本体に簡易に防水性を付すことができる画像処理装置を提供することにある。
【課題を解決するための手段】
【０００７】
請求項１に係る発明の画像処理装置は、略箱状のケース本体と、少なくとも対象物を撮影するための撮像手段を含んだ装置本体と、装置本体に取付けられ、外部機器のコネクタと接続するための複数のコネクタ接続部とを有し、ケース本体に装置本体が格納される画像処理装置であって、ケース本体は、対象物を撮影するための撮影開口部と、装置本体を格納して組立てるための組立開口部とを有して一体に形成され、撮影開口部にはパネルが、組立開口部には蓋体が、密封材を介してそれぞれ取付けられ、蓋体には、コネクタ接続部を配設するための複数のコネクタ配設部が設けられており、各コネクタ配設部には、各コネクタ配設部を封止するための封止材、又は各コネクタ配設部を覆って封止するための着脱自在な封止キャップのいずれか一方が設けられ、封止材が配されたコネクタ配設部と、封止キャップが配されたコネクタ配設部とが少なくとも一つづつ設けられていることを特徴とする。
【０００８】
請求項２に係る発明の画像処理装置は、請求項１記載の画像処理装置において、封止材と封止キャップとが一体に形成されてなることを特徴とする。
【０００９】
請求項３に係る発明の画像処理装置は、請求項１又は２記載の画像処理装置において、ケース本体に画像処理装置の動作状態を表示する表示部が設けられ、表示部には、装置本体からの光を透過させるための表示部孔が設けられ、表示部孔を塞ぐように表示部孔密封シートが設けられたことを特徴とする。
【００１０】
請求項４に係る発明の画像処理装置は、請求項１〜３のいずれか１項に記載の画像処理装置において、ケース本体には、ケース本体と装置本体とをねじで固定するためのねじ孔が設けられ、ねじ孔密封シートがねじ孔を塞ぐように設けられたことを特徴とする。
【００１１】
請求項５に係る発明の画像処理装置は、請求項１〜４のいずれか１項に記載の画像処理装置において、撮影開口部の周縁部および組立開口部の周縁部の少なくとも一方には、密封材を保持するための保持部が設けられ、保持部の一部に、パネルおよび蓋体とそれぞれ係合される係合部が設けられていることを特徴とする。
【００１２】
請求項６に係る発明の画像処理装置は、請求項１〜４のいずれか１項に記載の画像処理装置において、パネルおよび蓋体の少なくとも一方には、密封材を保持するための保持部が設けられ、保持部の一部に、撮影開口部の周縁部および組立開口部の周縁部とそれぞれ係合される係合部が設けられていることを特徴とする。
【発明の効果】
【００１３】
請求項１に係る発明の画像処理装置によれば、ケース本体は一体に形成され、ケース本体の組立開口部および撮影開口部には密封材を介して蓋体およびパネルが設けられていることにより、ケース本体の継ぎ目や組立開口部および撮影開口部からケース本体内部に水が侵入することがない。また、コネクタ配設部に封止材が設けられていることにより、コネクタ配設部の隙間からケース本体内部に水が侵入することがない。さらに、コネクタ配設部に封止キャップが設けられていることにより、コネクタ配設部が外部機器と接続していない時でも、コネクタ配設部からケース本体内部に水が流入してしまうことがなく、コネクタ配設部を防水できる。
【００１４】
請求項２に係る発明の画像処理装置によれば、請求項１に記載の発明の画像処理装置の効果に加えて、封止材と封止キャップとが一体に形成されていることにより、一個の一体成形品を製造するだけでよく、製造の手間を省くことができ、ひいては部品コストの削減が図れる。また、コネクタ接続部によって装置本体が外部機器と接続されている場合は、封止キャップは外した状態になるが、封止材はコネクタ配設部に備えられて固定されるため、封止キャップは封止材に繋がった状態でケース本体に併設されるので、封止キャップの紛失の心配がなくなる。
【００１５】
請求項３および４に係る発明の画像処理装置によれば、請求項１又は２に記載の発明の画像処理装置の効果に加えて、表示部孔およびねじ孔の少なくともいずれか一方が封止シートによって塞がれていることにより、画像処理装置内部に水が浸入することがなく、防水性が高まる。
【００１６】
請求項５または６に係る発明の画像処理装置によれば、請求項１〜４のいずれか１項に記載の発明の画像処理装置の効果に加えて、密封材を保持するための保持部の一部に係合部が設けられていることにより、密封材と、蓋体およびパネルの少なくとも一方とを、組立開口部の周縁部および撮影開口部の周縁部にそれぞれ取付けるための取付け部を一つの簡単な構造で済ますことができ、取付け部の部品コストを削減できる。また、蓋体およびパネルの少なくとも一方を、組立開口部の周縁部および撮影開口部の周縁部とそれぞれ係合して取り付けることにより、ねじ等の留め付け用の部品を用いる必要がなく、ねじ頭により組立後の画像処理装置の外観が損なわれることがない。
【発明を実施するための最良の形態】
【００１７】
以下、本発明を実施形態に基づいて説明する。本発明の画像処理装置は主に、工場ラインで用いられるものである。例えば、キャンペーンシールの有無検査、部品の位置検出、部品厚み検出等の用途に用いられる。
【００１８】
ここで、本実施形態での下とは後述する組立開口部が設けられている側のことをいい、上とはその反対側のことをいう。また、前とは、後述する撮影開口部が設けられている側のことをいい、後とは後述する表示部が設けられている側のことをいう。
（実施形態１）
図１は、本発明の画像処理装置１の組立状態を示した斜視図である。図１に例示したように、ケース本体２は大略箱状のものであり、内部は装置本体（図示せず）を格納するために空洞になっている。
【００１９】
ケース本体２には、２つの開口部が設けられている。すなわちケース本体２の前面に設けられた撮影開口部３と、ケース本体の下面に設けられた組立開口部４である。
【００２０】
撮影開口部３はケース本体２内部の装置本体に設けられているカメラ（図示せず）で対象物を撮影するための開口部である。また、撮影開口部３は装置本体の部品（例えば、カメラのレンズ等）を取替える場合の部品の取替口としての役割も兼ねている。この撮影開口部３の大きさは、カメラが対象物を捉えることができるのであれば、その大きさの如何は問わない。撮影開口部３には、パネル５が取り付けられ、撮影開口部３を塞ぐ。パネル５はカメラが対象物を捉えることができるように、透明な材質（例えば、ポリ塩化ビニル等の透明な樹脂）で形成されている。撮影開口部３とパネル５との間には、撮影開口部３の周縁３ａとパネル５との隙間からケース本体２内部への水の流入を防止するために第一の密封材６が介在されている。この第一の密封材６はスポンジ状の材料やゴム状の材料等の軟らかく、弾力性のある材料で形成されている。パネル５は第一の密封材６を介して、ねじによって撮影開口部３の周縁３ａに取り付けられる。つまり、第一の密封材６は撮影開口部３の周縁３ａとパネル５との間に挟まっている状態となっているため、撮影開口部の周縁３ａとパネル５との間は略隙間がない状態となっており、ケース本体２に水がかかったとしても、第一の密封材６によって水が遮断されて、ケース本体２内部まで水が流入しないようになっている。
【００２１】
組立開口部４は画像処理装置１を組立てる際、装置本体をケース本体２内部に挿入するために開けられた開口部である。組立開口部４は装置本体をケース本体２外部からケース本体２内部に引っ掛からずに挿入することができるのであれば、その大きさの如何は問わない。組立開口部４には、蓋体７が取り付けられ、組立開口部４を塞ぐ。組立開口部４の周縁４ａと蓋体７との間には、組立開口部４の周縁４ａと蓋体７との隙間からケース本体２内部への水の流入を防止するために第二の密封材８が介在される。この第二の密封材８はリング状のものである。また、第二の密封材８はスポンジ状の材料やゴム状の材料等の軟らかく、弾力性のある材料で形成されている。
【００２２】
蓋体７のケース本体２内部側に当たる面には、第二の密封材８を配設するためのテーブル状の密封材支持部７ａが設けられている。図２は、蓋体７および密封材支持部７ａに第二の密封材８を取付けたときの正面、側面を示した三面図である。密封材支持部７ａは、テーブルの土台にあたる引掛部７ｂと、テーブル面にあたる留付部７ｃとで構成されている。蓋体７のケース本体２内部側に当たる面と略平行方向の断面が柱形状を有した引掛部７ｂが、蓋体７のケース本体２内部側に当たる面に突設され、柱形状の引掛部７ｂのケース本体２内部側に当たる面には、引掛部７ｂの断面積よりも大きく、断面が柱形状を有する留付部７ｃが設けられている。ここで、引掛部７ｂはリング状の第二の密封材８を側面に引掛けて支持する役割を果たす。また、留付部７ｃは第二の密封材８が上下方向に移動して引掛部７ｂから外れてしまわないように、第二の密封材８を留め付ける役割を果たしている。
【００２３】
ここで、図２を用いて蓋体７と第二の密封材８と密封材支持部７ａ、および組立開口部４との関係を説明する。本実施形態では組立開口部４は、四方の角が丸みを帯びた長方形の形状を有している。留付部７ｃの大きさはこの形状に合わせて形成され、組立開口部４の大きさよりもやや小さく形成される。第二の密封材８は、その弾力によって引掛部７ｂの側面にしっかりと保持できるようなものでなければならない。組立開口部との関係では、幅Ａ＜組立開口部４の短辺の幅＜幅Ｂとなり、幅Ｃ＜組立開口部４の長辺の幅＜幅Ｄとなる。このような位置関係を有していることにより、組立開口部４の周縁４ａに蓋体７が取付けられる場合、第二の密封材８が組立開口部４の周縁４ａに押さえつけられ、組立開口部４の周縁４ａと密封材支持部７ａとの隙間がなくなり、ケース本体２に水がかかったとしても、ケース本体２内部にまで水が浸入することがない。
【００２４】
このようにして第二の密封材８が支持された蓋体７は、ねじによって組立開口部４の周縁４ａに取り付けられる。
【００２５】
図１に例示したように、蓋体７には第一コネクタ配設部９と、第二コネクタ配設部９ａと、第三コネクタ配設部１０とが設けられている。それぞれのコネクタ配設部９、９ａ、１０には、外部機器に設けられたコネクタが接続される。ここで、外部機器とは、画像処理装置１を操作するための操作ユニットや、制御装置であるプログラマブルコントローラ、装置本体の電源（例えば、コンセント）等を含むものである。
【００２６】
第一コネクタ配設部９は、ケース本体２内部の装置本体から延設される画像処理装置１の電源配線である電源ケーブル（図示せず）の電源用接続端子（図示せず）を配設させる開口部である。
【００２７】
第二コネクタ配設部９ａは、ケース本体２内部の装置本体から延設され、外部機器のコネクタ（図示せず）と電気的に接続するために、装置本体に設けられたコネクタ用ケーブル（図示せず）のコネクタ用接続端子（図示せず）を配設させる開口部である。
【００２８】
第三コネクタ配設部１０は、コネクタ配設口１０ａを有し、ケース本体２内部に収納され、外部機器のコネクタと接続するためのコネクタ接続部（図示せず）に、外部機器のコネクタをコネクタ開口部１０ａから挿通して接続するために設けられたものである。本実施形態の場合、円柱状の第三コネクタ配設部１０が蓋体７のケース本体２外部にあたる側の面に突設されている。円柱状の第三コネクタ配設部１０の下面には、コネクタ配設口１０ａが設けられ、外部機器のコネクタはケース本体２外部からコネクタ配設口１０ａに挿通され、装置本体のコネクタ接続部と接続される。
【００２９】
第一コネクタ配設部９にはリング状の第一の封止材１１（例えば、Ｏリング等）が、第二コネクタ配設部９ａには第二の封止材１１ａ（例えば、Ｏリング等）が設けられる。第一の封止材１１および第二の封止材１１ａの材質としては、ゴム状の材料やスポンジ状の材料等の軟らかく、弾力性のある材料で形成されているとよい。
【００３０】
ここで、リング状の第一の封止材１１は、第一コネクタ配設部９におけるケース本体２外部側の周縁９ｂに配設される。第一の封止材１１は、コネクタと電源ケーブルの電源用接続端子との間に設けられる。具体的には、コネクタが第一コネクタ配設部９の周縁９ｂを圧迫して電源用接続端子と接続されることによって、第一の封止材１１が第一コネクタ配設部９の周縁９ｂに押さえつけられ、コネクタと第一コネクタ配設部９の周縁９ｂとの間の隙間を封止し、防水を行う。
【００３１】
同様に、リング状の第二の封止材１１ａは、第二コネクタ配設部９ａにおけるケース本体２外部側の周縁９ｃに配設される。第二の封止材１１ａは、コネクタとコネクタ用ケーブルのコネクタ用接続端子との間に設けられる。具体的には、コネクタが第二コネクタ配設部９ａの周縁９ｃを圧迫してコネクタ用接続端子と接続されることによって、第二の封止材１１ａが第二コネクタ配設部９ａの周縁９ｃに押さえつけられ、コネクタと第二コネクタ配設部９ａの周縁９ｃとの間の隙間を封止し、防水を行う。
【００３２】
装置本体のコネクタ接続部が外部機器のコネクタと接続されていない場合、ケース本体２が水に晒されると、第三コネクタ配設部１０のコネクタ配設口１０ａからケース本体２内部に水が流入してしまう。この時、ケース本体２に収納されているコネクタ接続部は剥き出しになった状態であるため、コネクタ接続部に水がかかってしまう。コネクタ接続部は金属製のため、放置しておくとサビの原因になる。また、コネクタ接続部に水滴がついたまま外部機器のコネクタと接続した時には、ショートしてしまうことがあり大変危険である。そこで、第三コネクタ配設部１０にはコネクタ接続部を水分から守るために、第三コネクタ配設部１０を覆う封止キャップ１２を設けてある。封止キャップ１２は図１に例示したように、第三コネクタ配設部１０の形状に合わせて第三コネクタ配設部１０全体を覆うようなキャップ状のものである。図１では第三コネクタ配設部１０は水平方向の断面が略円状であるので、封止キャップ１２も略円状の断面を持つものを使用している。封止キャップ１２の材質は、ゴムのような樹脂で形成されたものや、スポンジ状のものがよいが、第三コネクタ配設部１０と密着し、第三コネクタ配設部１０と封止キャップ１２との間から水が浸入しないような材質であれば、その材質の如何は問わない。
【００３３】
本実施形態では、三つのコネクタ配設部９、９ａ、１０を備えた画像処理装置１について説明したが、コネクタ配設口はさらに多く設けてもよい。そして、それぞれのコネクタ配設口には、封止材又は封止キャップが設けられる。その時、封止材が配されたコネクタ配設口と、封止キャップが配されたコネクタ配設口とは、少なくとも１つづつ設けられている。
【００３４】
また、ケース本体２の後面には、画像処理装置１の動作状態を示すための表示部１３が設けられている。表示部１３には複数の表示部孔１３ａが開けられ、装置本体に設けられた発光体（例えば、発光ダイオード（ＬＥＤ））からの光が表示部孔１３ａを通過して、ケース本体２外部の使用者に画像処理装置１の現在の動作状態を表示して知らせる。
【００３５】
ケース本体２における表示部孔１３ａが設けられている外壁面には、ケース本体２内部への水の流入を防止するために、シート状の表示部孔密封シート１４が設けられている。表示部孔密封シート１４の材質は、光を透過させる材質（例えば、ポリ塩化ビニル等の透明な樹脂）で形成される。また、表示部孔密封シート１４の取り付け方法は、ねじでケース本体２に取り付けてもよいし、ケース本体２に公知の貼り付け手段（例えば、接着剤等）を用いて貼付してもよく、取り付け手段の如何は問わない。また、表示部孔密封シート１４はケース本体２の表示部孔１３ａが設けられている面に全面に設けてもよいし、表示部孔１３ａを覆うように部分的に設けてもよい。本実施形態では、表示部孔密封シート１４はケース本体２の外壁面に設けられているが、ケース本体２の内壁面に設けられてもよい。
【００３６】
また、ケース本体２の側面には、装置本体とケース本体２とをねじで固定するために設けられたねじ孔１５が開けられている。このねじ孔１５が設けられた面にはシート状のねじ孔密封シート１６が設けられている。ねじ孔密封シート１６の材質の如何は問わない。また、ねじ孔密封シート１６の取り付け方法は、ねじでケース本体２に取り付けてもよいし、ケース本体２に公知の貼り付け手段を用いて貼付してもよく、取り付け手段の如何は問わない。また、ねじ孔密封シート１６はケース本体２のねじ孔１５が設けられている側面に一面に設けてもよいし、ねじ孔１５を覆うように部分的に設けられてもよい。
【００３７】
従って本実施形態によれば、撮影開口部３とパネル５との間に第一の密封材６が介在していることにより、第一の密封材６が撮影開口部３の周縁３ａに押さえつけられて、パネル５が撮影開口部３の周縁３ａに取付けられ、隙間をなくしている。
【００３８】
また、蓋体７の密封材支持部７ａに支持して第二の密封材８が設けられていることにより、第二の密封材８が組立開口部４の周縁４ａに押さえつけられて、組立開口部４の周縁４ａと蓋体７とが取付けられ、隙間をなくしている。
【００３９】
また、リング状の第一の封止材１１がコネクタと第一コネクタ配設部９の周縁９ｂとの間に圧迫されて取り付けられ、リング状の第二の封止材１１ａがコネクタと第二コネクタ配設部９ａの周縁９ｃとの間に圧迫されて取り付けられていることにより、第一コネクタ配設部９およびコネクタ用ケーブル導出口９ａの隙間をなくしている。
【００４０】
そして、第三コネクタ配設部１０が封止キャップ１２で密封されることにより、コネクタ接続部を完全に封止している。
【００４１】
さらに、表示部孔１３ａには表示部孔密封シート１４が、ねじ孔１５にはねじ孔密封シート１６がそれぞれの孔を塞ぐように設けられている。
【００４２】
以上により、ケース本体の隙間がなくなり、ケース本体２全体が防水されることになる。
【００４３】
（実施形態２）
図３に例示したように、本実施形態の画像処理装置１は、実施形態１の画像処理装置１における、第二の封止材１１ａと封止キャップ１２とが一体に形成されているものである。
【００４４】
Ｏリング状の第二の封止材１１ａと、封止キャップ１２とが連結材１７によって連結されている。第二の封止材１１ａと封止キャップ１２および連結材１７は同じ材料で形成され、継ぎ目なく一体に形成される。連結材１７は、第二の封止材１１ａと封止キャップ１２との位置関係を崩さないように設けられる。つまり、第二の封止材１１ａおよび封止キャップ１２双方を、第二コネクタ配設部９ａおよび第三コネクタ配設部１０に取り付けた場合に、第二の封止材１１ａおよび封止キャップ１２が、第二コネクタ配設部９ａおよび第三コネクタ配設部１０にぴたりと密着して配設されるように、第二の封止材１１ａおよび封止キャップ１２双方の距離を保つように設けられている。
【００４５】
従って本実施形態によれば、第二の封止材１１ａと封止キャップ１２とが一体に形成されていることにより、一個の一体成形品を製造するだけでよく、製造の手間を省くことができ、ひいては部品コストの削減が図れる。また、コネクタ接続部によって装置本体が外部機器と接続されている場合は、封止キャッ１２プは外した状態になるが、第二の封止材１１ａは第二コネクタ配設部９ａに固定されて備えられているので、封止キャップ１２は第二の封止材１１ａに繋がった状態でケース本体２に併設されるので、封止キャップ１２の紛失の心配がなくなる。
【００４６】
本実施形態では、第二の封止材１１ａと封止キャップ１２とが一体的に形成されていたが、第一の封止材１１と封止キャップ１２とを一体的に形成してもよいし、第一の封止材１１と第二の封止キャップ１１ａ、および封止キャップ１２すべてを一体的に形成してもよい。少なくとも封止材と封止キャップとが１つづつ連結されてさえいれば、後は封止材又は封止キャップを何個連結しても構わない。
【００４７】
（実施形態３）
図４に例示したように、本実施形態の画像処理装置１は、実施形態１〜２の画像装置１における撮影開口部３の周縁３ａに第一の密封材６を保持する保持部を設け、その保持部の一部が係合部となっているものである。
【００４８】
撮影開口部３の周縁３ａには、その撮影開口部３の形状に合わせたリブ状の保持部１８が撮影開口部３がある面と略垂直方向に突設されている。図４においては、略四角の撮影開口部３に対して、その周縁全周に亘ってリブ状の保持部１８が略四角の形状をなすように突設されている。この保持部１８は、第一の密封材６を保持するものであるので、第一の密封材６は保持部１８の形状に合わせて形成されるとよい。本実施形態の場合、略四角の枠状の形状をなしている保持部１８に合わせて、第一の密封材６も枠状の形状をなしている。第一の密封材６は、保持部１８の外周に、第一の密封材６の内周が当設されるように設けられる。
【００４９】
保持部１８の一部は、パネル５と係合される係合部１８ａとなっている。図４においては、係合部１８ａは保持部１８の上下の辺にそれぞれ設けられている。係合部１８ａは、パネル５に設けられた被係合部５ａと係合されて，パネル５が撮影開口部３の周縁３ａに取付けられる。該係合部１８ａは第一の密封材６を保持することができ、かつパネル５の被係合部５ａと係合される。つまり、第一の密封材６を保持する役割と、パネル５を係合する役割とを兼務していることになる。具体的には、係合部１８ａはツメ１８ｂと密封材保持部１８ｃとを有しており、密封材保持部１８ｃが保持部１８の役割を果たし、ツメ１８ｂがパネル５の被係合部５ａと係合されてパネル５が撮影開口部３の周縁３ａに取付けられる。また、ツメ１８ｂは、第一の密封材６が保持部１８から脱落するのを防止している。つまり、保持部１８に第一の密封材６を保持させた時に、第一の密封材６に何らかの力が加わって、第一の密封材６が脱落してしまったり、第一の密封材６が長期間の使用により劣化して、保持部１８から脱落してしまうことを防止し、第一の密封材６をしっかりと留め付ける役割を果たしている。
【００５０】
組立開口部４についても、撮影開口部３と同様な構造を有して蓋体７が組立開口部４の周縁４ａに取付けられる。本実施形態のような保持部１８を用いた構造は、撮影開口部３の周縁３ａにのみ設けてもよいし、組立開口部４の周縁４ａにのみ設けてもよいし、撮影開口部３の周縁３ａおよび組立開口部４の周縁４ａの両方に設けてもよい。
【００５１】
従って本実施形態によれば、撮影開口部３の周縁３ａや組立開口部４の周縁４ａにリブ状の保持部１８が設けられているため、第一の密封材６や第二の密封材８を取付ける際に、取り付けの目安となり取付けやすい。また、保持部１８の一部が係合部１８ａと一体となっていることにより、取付け部を一つの簡単な構造で済ますことができ、部品コストを削減できる。また、蓋体７およびパネル５を、組立開口部４の周縁部４ａおよび撮影開口部３の周縁部３ａとそれぞれ係合して取付けることにより、ねじ等の留め付け用の部品を用いる必要がなく、ねじ頭により組立後の画像処理装置１の外観が損なわれることがない。
【００５２】
（実施形態４）
図５に例示したように、本実施形態の画像処理装置１は、実施形態１〜３の画像装置１におけるパネル５に第一の密封材６を保持する保持部１９を設け、その保持部１９の一部が係合部１９ａとなっているものである。
【００５３】
パネル５には、そのパネル５の形状に合わせたリブ状の保持部１９がパネル５のケース本体２に向かう面と略垂直方向に突設されている。図５においては、略四角の形状を有するパネル５に対して、リブ状の保持部１９が撮影開口部３の形状である略四角の形状をなすように突設されている。この保持部１９は、第一の密封材６を保持するものであるので、第一の密封材６は保持部の形状に合わせて形成されるとよい。本実施形態の場合、略四角の枠状の形状をなしている保持部１９に合わせて、第一の密封材６も枠状の形状をなしている。第一の密封材６は、保持部１９の外周に、第一の密封材６の内周が当設されるように設けられる。
【００５４】
保持部１９の一部は、撮影開口部３の周縁３ａの係合部（図示せず）と係合される被係合部１９ａとなっている。図５においては、被係合部１９ａは保持部１９の上下の辺にそれぞれ設けられている。被係合部１９ａは、撮影開口部３の係合部と係合されてパネル５が撮影開口部３の周縁３ａに取付けられる。該被係合部１９ａは、第一の密封材６を保持することができ、かつ撮影開口部の周縁３ａに設けられた係合部と係合される。つまり、第一の密封材６を保持する役割と、パネル５を係合する役割とを兼務していることになる。具体的には、被係合部１９ａはツメ１９ｂと密封材保持部１９ｃとを有しており、密封材保持部９ｃが保持部１９の役割を果たし、ツメ１９ｂが撮影開口部３の係合部と係合されてパネル５が撮影開口部３の周縁３ａに取付けられる。また、ツメ１９ｂは、第一の密封材６が保持部１９から脱落するのを防止している。つまり、保持部１９に第一の密封材６を保持させた時に、第一の密封材６に何らかの力が加わって、第一の密封材６が脱落してしまったり、第一の密封材６が長期間の使用により劣化して、保持部１９から脱落してしまうことを防止し、第一の密封材６をしっかりと留め付ける役割を果たしている。
【００５５】
蓋体７についても、パネル５と同様な構造を有して蓋体７が組立開口部４の周縁４ａに取付けられる。本実施形態のような保持部１９を用いた構造は、パネル５にのみ設けてもよいし、蓋体７にのみ設けてもよいし、パネル５および蓋体７の両方に設けてもよい。
【００５６】
従って本実施形態によれば、パネル５や蓋体７にリブ状の保持部１９が設けられているため、第一の密封材６や第二の密封材８を取付ける際に、取付けの目安となり取付けやすい。また、保持部１９の一部が被係合部１９ａと一体となっていることにより、取付け部を一つの簡単な構造で済ますことができ、部品コストを削減できる。また、蓋体７およびパネル５を、組立開口部４の周縁部４ａおよび撮影開口部３の周縁部３ａとそれぞれ係合して取付けることにより、ねじ等の留め付け用の部品を用いる必要がなく、ねじ頭により組立後の画像処理装置１の外観が損なわれることがない。
【図面の簡単な説明】
【００５７】
【図１】本発明の画像処理装置の組立構造を示した斜視図であり、実施形態１を示したものである。
【図２】本発明の実施形態１の密封材支持部７ａを示した見取図である。
【図３】本発明の実施形態２を示した斜視図である。
【図４】本発明の実施形態３を示した斜視図である。
【図５】本発明の実施形態４を示した斜視図である。
【図６】従来の画像処理装置を示した斜視図である。
【図７】従来の電子機器を収納する筐体を示した斜視図である。
【符号の説明】
【００５８】
１．画像処理装置
２．ケース本体
３．撮影開口部
４．組立開口部
５．パネル
６．第一の密封材
７．蓋体
８．第二の密封材
９．第一コネクタ配設部
９ａ．第二コネクタ配設部
１０．第三コネクタ配設部
１１．第一の封止材
１１ａ．第二の封止材
１２．封止キャップ
１３．表示部
１４．表示部孔密封シート
１５．ねじ孔
１６．ねじ孔密封シート
１７．連結材
１８．保持部
１９．保持部
【図１】
2006197408.tif 000003
【図２】
2006197408.tif 000004
【図３】
2006197408.tif 000005
【図４】
2006197408.tif 000006
【図５】
2006197408.tif 000007
【図６】
2006197408.tif 000008
【図７】
2006197408.tif 000009